(57)【要約】【課題】  ＩＣタグが離脱、破損等せず、食物残渣等が固着せず、極めて衛生的であり、歩留まりも良く、製造コストも低減できるＩＣタグ付き容器を提供する。【解決手段】  ＩＣタグ付き容器である平皿１は、合成樹脂材料より成る平皿本体２の底面部２ｃに可撓性を有するＩＣタグ３を内蔵したことを特徴とする。固定金型３１と可動金型３２とによって画成されるキャビティ３５内に、可撓性を有するＩＣタグ３を金型内壁面３１Ａ，３２Ａから離反して配置し、キャビティ３５内に溶融樹脂Ｐを流通させ、充填する。キャビティ３５内にＩＣタグ３を金型内壁面３１Ａ，３２Ａから離反して配置するため、ＩＣタグ３に装着したＩＣタグ保持ピン２１を突出ピン３３に保持する。【選択図】          図２
2013215367.tif 000002
【特許請求の範囲】
【請求項１】
合成樹脂材料より成る容器本体に可撓性を有するＩＣタグを内蔵したことを特徴とするＩＣタグ付き容器。
【請求項２】
前記容器は、食器であることを特徴とする請求項１に記載のＩＣタグ付き容器。
【請求項３】
前記ＩＣタグは、前記食器本体の底面部に内蔵することを特徴とする請求項２に記載のＩＣタグ付き容器。
【請求項４】
前記ＩＣタグは、インレットを複数の繊維構成体シートによって被覆し、それら構成部材間を弾性接着剤によって接着したものであることを特徴とする請求項１乃至３に記載のＩＣタグ付き容器。
【請求項５】
前記ＩＣタグは、その表面が合成樹脂との親和性が低いことを特徴とする請求項１乃至４に記載のＩＣタグ付き容器。
【請求項６】
前記ＩＣタグは、その表面に微小な凹凸が形成されていることを特徴とする請求項１乃至５に記載のＩＣタグ付き容器。
【請求項７】
前記複数の繊維構成体シートの代わりに、耐熱性が高く、かつ、引張強度の高い合成樹脂シートを使用したことを特徴とする請求項４乃至６に記載のＩＣタグ付き容器。
【請求項８】
固定金型と可動金型とによって画成されるキャビティ内に可撓性を有するＩＣタグを金型内壁面から離反して配置し、前記キャビティ内に溶融樹脂を流通させ、充填することによって、容器本体にＩＣタグを内蔵したＩＣタグ付き容器を製造することを特徴とするＩＣタグ付き容器の製造方法。
【請求項９】
前記容器は、食器であることを特徴とする請求項７に記載のＩＣタグ付き容器の製造方法。
【請求項１０】
前記ＩＣタグは、前記食器本体の底面部に内蔵することを特徴とする請求項８に記載のＩＣタグ付き容器の製造方法。
【請求項１１】
前記ＩＣタグに保持用切欠部を形成し、この保持用切欠部にＩＣタグ保持ピンを装着させ、このＩＣタグ保持ピンを金型内で摺動する突出ピンに保持することによって、前記キャビティ内にＩＣタグを金型内壁面から離反して配置することを特徴とする請求項７乃至９の何れかに記載のＩＣタグ付き容器の製造方法。
【請求項１２】
前記ＩＣタグ保持ピンは、合成樹脂材料によって成形したものであることを特徴とする請求項１０に記載のＩＣタグ付き容器の製造方法。
【請求項１３】
前記ＩＣタグ保持ピンは、充填する溶融樹脂と同一の合成樹脂材料によって成形したものであることを特徴とする請求項１１に記載のＩＣタグ付き容器の製造方法。
【請求項１４】
前記容器本体を構成する合成樹脂は、熱可塑性樹脂であることを特徴とする請求項７乃至１２の何れかに記載のＩＣタグ付き容器の製造方法。
【請求項１５】
前記ＩＣタグは、インレットを複数の繊維構成体シートによって被覆し、それら構成部材間を弾性接着剤によって接着したものであることを特徴とする請求項７乃至１３に記載のＩＣタグ付き容器の製造方法。
【請求項１６】
前記ＩＣタグは、その表面が合成樹脂との親和性が低いことを特徴とする請求項７乃至１４に記載のＩＣタグ付き容器の製造方法。
【請求項１７】
前記ＩＣタグは、その表面に微小な凹凸が形成されていることを特徴とする請求項１乃至５に記載のＩＣタグ付き容器の製造方法。
【請求項１８】
前記複数の繊維構成体シートの代わりに、耐熱性が高く、かつ、引張強度の高い合成樹脂シートを使用したことを特徴とする請求項１５乃至１７に記載のＩＣタグ付き容器の製造方法。
【発明の詳細な説明】
【技術分野】
【０００１】
本発明は、非接触でその種類が容易に認識できると共に、頻繁に洗浄する用途に使用できる合成樹脂製のＩＣタグ付き容器及びその製造方法に関するものである。
【背景技術】
【０００２】
回転寿司店、社員食堂、学生食堂等においては、寿司種、料理毎に異なる形状、色彩又は模様を付した食器を使用し、従業員が目視でその食器の形状、色彩又は模様を確認し、寿司種、料理の料金を判別して、料金を精算する方法が採用されている場合も多い。
【０００３】
しかし、従業員が目視で食器の形状、色彩又は模様を確認するのでは、見間違えることがあり、又は、従業員が暗算で料金を計算するのでは、計算間違えをすることもあり、特に混雑時にあっては、従業員にとって精算作業は面倒なものであった。
【０００４】
そこで、最近では、食器本体１２の底面にＩＣタグ１４を接着し、ＩＣタグ１４に料理の料金等のデータを記憶させ、ＩＣタグ１４に記憶させたデータをリーダライタで読み取るＩＣタグ付き食器も採用されるようになってきた（特許文献１参照）。
【０００５】
食器本体１２の底面にＩＣタグ１４を接着する食器によれば、目視で食器の形状等を確認し、暗算で料金を計算する必要はなくなるから、従業員にとって精算作業は随分と簡単になる上、見間違えや計算間違えも発生しなくなるから、精算処理も確実となる。
又、ＩＣタグ１４に個別のＩＤを書き込むことで、同種類の食器でも上に載せた食品の個別の情報、例えば、調理した時間等を区別して管理することができる。
【０００６】
しかし、回転寿司店、社員食堂、学生食堂等において使用される食器は、頻繁に繰り返して使用され、頻繁に洗浄、乾燥が繰り返されるため、ＩＣタグ１４が食器本体１２の底面から離脱し、ＩＣタグ１４のインレットが破損する場合も多かった。
【０００７】
そこで、かかる問題点を解消するべく、外壁部分２と内壁部分３とから食器本体１を構成し、外壁部分２の内面中央部に陥没凹部４を形成し、陥没凹部４にＩＣタグ６を嵌入、保持させたＩＣタグ付き食器が提案されている（特許文献２参照）。
【先行技術文献】
【特許文献】
【０００８】
【特許文献１】特開２００１−３３４５３０号公報
【特許文献２】特開２００９−０６６０３５号公報
【発明の概要】
【発明が解決しようとする課題】
【０００９】
特許文献１に記載のＩＣタグ付き食器では、上述の通り、ＩＣタグ１４が食器本体１２の底面から離脱し、ＩＣタグ１４のインレットが破損するという問題点がある上、ＩＣタグ１４の接着部において、食物、飲物、ゴミ等が付着し易く、迅速、簡単に洗浄するのでは十分に除去できず、それらが残渣として固着してしまう、又は、その残渣から細菌等が繁殖してしまい、極めて非衛生的となるという問題点もあった。
【００１０】
一方、特許文献２に記載のＩＣタグ付き食器では、外壁部分２と内壁部分３とから食器本体１を構成するので、外壁部分２と内壁部分３との接合が不十分になり易く、又、陥没凹部４にＩＣタグ６を嵌入するので、ＩＣタグ６が陥没凹部４内で移動し易く、製品の歩留りが悪い。又、外壁部分２を成形する工程、ＩＣタグ６を嵌入する工程及び内壁部分３を成形する工程が必要となり、製造コストが高額となるという問題があった。
【００１１】
本発明は、かかる問題点に鑑みて為されたものであって、容易にＩＣタグが離脱し、ＩＣタグが破損することなく、食物、飲物、ゴミ等の残渣が固着せず、よって、細菌等も発生せず、極めて衛生的であり、製品の歩留まりも良く、製造コストも低額となるＩＣタグ付き容器を提供することを目的とする。
【００１２】
本発明は、又、本発明のＩＣタグ付き容器を好適に製造することができるＩＣタグ付き容器の製造方法を提供することを目的とする。
【課題を解決するための手段】
【００１３】
上記目的を達成するために、本発明のＩＣタグ付き容器は、合成樹脂材料より成る容器本体に可撓性を有するＩＣタグを内蔵したことを特徴とする。
【００１４】
前記容器は、食器であって、前記ＩＣタグは、この食器本体の底面部に内蔵するのが好ましい。
【００１５】
又、本発明のＩＣタグ付き容器の製造方法は、固定金型と可動金型とによって画成されるキャビティ内に可撓性を有するＩＣタグを金型内壁面から離反して配置し、前記キャビティ内に溶融樹脂を流通させ、充填することによって、容器本体にＩＣタグを内蔵したＩＣタグ付き容器を製造することを特徴とする。
【００１６】
前記容器は、食器であって、前記ＩＣタグは、この食器本体の底面部に内蔵するのが好ましい。
【００１７】
前記ＩＣタグに保持用切欠部を形成し、この保持用切欠部にＩＣタグ保持ピンを装着させ、このＩＣタグ保持ピンを金型内で摺動する突出ピンに保持することによって、前記キャビティ内にＩＣタグを金型内壁面から離反して配置することを特徴とする。
【００１８】
前記ＩＣタグ保持ピンは、合成樹脂材料によって成形したものであり、特には、充填する溶融樹脂と同一の合成樹脂材料によって成形したものであるのが好ましい。
【００１９】
前記容器本体を構成する合成樹脂は、熱可塑性樹脂であることが好ましい。
【図面の簡単な説明】
【００２０】
【図１】本発明のＩＣタグ付き食器の（Ａ）は平面図、（Ｂ）は側面図である。
【図２】本発明のＩＣタグ付き食器の（Ａ）は底面図、（Ｂ）は側断面図である。
【図３】本発明のＩＣタグ付き食器に内蔵するＩＣタグの（Ａ）は平面図、（Ｂ）は側面図である。
【図４】図３に示すＩＣタグを各構成部材に分解した平面図である。
【図５】図３に示すＩＣタグの一部拡大縦断面図である。
【図６】図３に示すＩＣタグの構成部材である織物シートの一部拡大平面図である。
【図７】図３に示すＩＣタグを中央で折り曲げた状態の断面図である。
【図８】ＩＣタグ保持ピンの（Ａ）は平面図、（Ｂ）は正面図、（Ｃ）は底面図である。
【図９】ＩＣタグにＩＣタグ保持ピンを装着した状態を示す平面図である。
【図１０】ＩＣタグに装着したＩＣタグ保持ピンを突出ピンに保持する方法を示す正面図である。
【図１１】本発明のＩＣタグ付き食器の製造方法において、可動金型を開いた状態を示す断面図である。
【図１２】本発明のＩＣタグ付き食器の製造方法において、固定金型の突出ピンにＩＣタグ保持ピンを保持させ、ＩＣタグを固定金型に保持した状態を示す断面図である。
【図１３】本発明のＩＣタグ付き食器の製造方法において、可動金型を閉じた状態を示す断面図である。
【図１４】本発明のＩＣタグ付き食器の製造方法において、キャビティ内に溶融樹脂を射出した状態を示す断面図である。
【図１５】本発明のＩＣタグ付き食器の製造方法において、突出ピンを抜き、可動金型を開き、成形品を取り出した状態を示す断面図である。
【発明を実施するための形態】
【００２１】
以下、本発明のＩＣタグ付き容器の好適な実施形態について、図面を参照して詳細に説明する。
尚、容器としては、食器を採り上げ、特に、回転寿司店、社員食堂、学生食堂等において最も多く使用される円形状の平皿を例に挙げて説明する。
【００２２】
平皿１は、図１及び図２に示すように、合成樹脂材料より成る平皿本体２と可撓性を有するＩＣタグ３とから構成される。
【００２３】
平皿本体２は、成形性の良好なポリエチレン（ＰＥ）、ポリプロピレン（ＰＰ）、ポリエチレンテレフタレート（ＰＥＴ）等の熱可塑性樹脂、又は、ユリア樹脂（ＵＦ）、メラミン樹脂（ＭＦ）等の熱硬化性樹脂を材料として成形する。
【００２４】
ＩＣタグ３は、図３乃至図７に示すように、インレット４、繊維構成体シート５，６，７，８及び接着剤層９，１０，１１，１２から構成される。
【００２５】
インレット４は、図４に示すように、メモリ機能を備えたＩＣチップ１３と、銅等の導電性の高い導線１４をコイル状に巻き回したアンテナ１５とから構成され、導線１４の一端部及び他端部を内側に折り曲げて、そこにＩＣチップ１３を固着してある。
【００２６】
繊維構成体シート５，６，７，８は、図４及び図６に示すように、複数本の繊維素材を束ねた繊維束１６を縦横に織成して構成した織物シート材１７を裁断したものである。
繊維構成体シート５，６，７，８は、同様の構成のものであるが、ＩＣタグ３を構成した時、図４に示すように、各繊維構成体シート５，６，７，８を構成する繊維素材の配向方向は、所定角度ずらしてある。強度を考慮すると、ずらす角度は、３０°〜４５°とするのが好ましい。
【００２７】
繊維シート材１７を構成する繊維材料としては、非弾性体であるポリエステル繊維、ポリアミド繊維、アラミド繊維、ガラス繊維等を使用することができる。
【００２８】
接着剤層９，１０，１１，１２は、図５に示すように、弾性接着剤（結合剤）を硬化させ、インレット４、繊維構成体シート５，６，７，８間を接着することによって形成されるものである。
【００２９】
弾性接着剤（結合剤）としては、クロロプレン系接着剤、シリコンゴム系接着剤等を使用することができる。
【００３０】
ＩＣタグ３は、上記構成部材から成り、先ず、図４及び図５に示すように、インレット４の上方及び下方から順次繊維構成体シート５，６，７，８を当接させ、それら構成部材間に弾性接着剤を介在させる。
【００３１】
次に、構成部材を積層したものに上下方向から圧力を付加することによって、インレット４、繊維構成体シート５，６，７，８間に弾性接着剤を浸透させ、構成部材間を完全に接着して、積層体を構成する。
【００３２】
最後に、その積層体を打ち抜き型によって打ち抜くことによって、図３に示す円環形状のＩＣタグ３を製造することができる。
又、ＩＣタグ３には、図３に示すように、内周縁部に円周方向に等間隔で保持用切欠部３ａ，３ａ，３ａを形成してある。
【００３３】
尚、ＩＣタグ３の厚さは、特に規定されるものではないが、引張強度、曲げ強度等を考慮すると、０．５〜２．０ｍｍ、特には、１．０〜１．５ｍｍであることが好ましい。
【００３４】
ＩＣタグ３は、インレット４を繊維構成体シート５，６，７，８によって被覆し、それら構成部材間を弾性接着剤によって完全に接着した構造であるから、十分に可撓性を確保することができると共に、繊維構成体シート５，６，７，８によって十分に外力に対する補強をすることができる。
よって、折曲げ、引張り等の外力が加わった場合にも、応力が分散されて、外力に対して最も弱いＩＣチップ１３にかかる応力を緩和することができ、外力や衝撃に対する強度及び耐久性を大幅に向上させることができる。
【００３５】
又、上下に積層した複数の繊維構成体シート５，６，７，８において、繊維構成体シート５，６，７，８を構成する繊維素材の配向方向を所定角度ずれるように構成したから、縦方向、横方向、斜め方向に繊維素材が配向していることになり、何れの方向への引張力に対しても、伸びを小さくすることができて、ＩＣタグ３の伸びを最小限に抑えることができる。
よって、インレット４に引張力が加わって、インレット４が容易に破損してしまう、という事態は発生しない。
【００３６】
図７に示すように、ＩＣタグ３を折り曲げた時、繊維構成体シート５，６，７，８は十分な可撓性を有し、それらの肉厚による効果をも併せて、折曲部の曲率半径は十分に大きなものとなる。そのため、中心部に配置したインレットの最小曲げ半径ｒは、ＩＣタグ３の厚みｄの略半分に抑えることができ、インレットには許容範囲内の曲げ応力が発生するだけである。
よって、本発明の平皿１を製造する際には、図７に示すような極端な曲げ応力は発生しないものの、ＩＣチップ１３とアンテナ１５との結合部に過大な応力が加わって、結合が切断されてしまうことはなく、インレット４を破損から守ることができる。
【００３７】
又、ＩＣタグ３は、インレット４、繊維構成体シート５，６，７，８間を弾性接着剤によって接着した構造であって、表面には弾性接着剤が表出されるから、ＩＣタグ３の表面は、平皿本体２を構成する合成樹脂との親和性が低くなっていると共に、表面には縦横織成による微小な凹凸が形成されている。
【００３８】
ＩＣタグ３は、以上のような構成によって、耐圧性については、２０００ｋｇ／ｃｍ２までインレット４が破損することはなかった。又、耐熱性については、２００℃まで溶融及び変形することはなかった。
【００３９】
平皿１は、平皿本体２の材料である合成樹脂粒子を溶融し、閉じた金型内に画成されたキャビティ内にＩＣタグ３を配置し、溶融樹脂をキャビティ内に射出し、その後、冷却、硬化させて成形される。
【００４０】
ここで、ＩＣタグ３を内蔵させる位置は、図１及び図２に示すように、平皿１の底面部１ｃ内にするのが好ましい。
又、ＩＣタグ３の外径は、平皿１の底面部１ｃの内径よりやや小径として、ＩＣタグ３と糸底部１ｂとの間に溶融樹脂が十分充填されるようにするのが好ましい。
【００４１】
本発明の平皿１は、平皿本体２内にＩＣタグ３を内蔵したものであるから、頻繁に繰り返して使用され、頻繁に洗浄、乾燥が繰り返されても、容易にＩＣタグ３が離脱し、ＩＣタグ３が破損するはことなく、食物、飲物、ゴミ等の残渣も固着せず、よって、細菌等も発生せず、極めて衛生的である。
【００４２】
又、ＩＣタグ３として、可撓性を有すると共に、耐熱性、耐圧性の高いＩＣタグ３を使用したから、合成樹脂の射出成形によって容易に平皿１を製造することができ、頻繁に繰り返して使用され、頻繁に洗浄、乾燥が繰り返されても、容易にＩＣタグ３が離脱し、ＩＣタグ３が破損することもない。
【００４３】
次に、本発明のＩＣタグ付き容器の製造方法の好適な実施形態について、図面を参照して詳細に説明する。
尚、上記と同様に、容器としては、食器を採り上げ、特に、回転寿司店、社員食堂、学生食堂等において最も多く使用される円形状の平皿を例に挙げて説明する。
【００４４】
本発明のＩＣタグ付き食器の製造方法は、ＩＣタグ３を保持するＩＣタグ保持ピン２１を使用し、固定金型３１、可動金型３２、突出ピン３３を利用した射出成形法によって実施される。
【００４５】
ＩＣタグ保持ピン２１は、図８に示すように、合成樹脂材料より成形した円筒形状のピンであって、大径の矜持部２１ａ，２１ｃの間に小径の嵌入部２１ｂを形成し、矜持部２１ｃに連結して保持部２１ｄを形成し、保持部２１ｄに保持孔２１ｅを穿設してある。
【００４６】
ＩＣタグ保持ピン２１は、図９及び図１０に示すように、ＩＣタグ３の保持用切欠部３ａ，３ａ，３ａに嵌入部２１ｂを嵌入させることによって、ＩＣタグ３の表裏面を矜持部２１ａ，２１ｃによって矜持できるようになっている。
【００４７】
そして、ＩＣタグ３にＩＣタグ保持ピン２１を装着した状態で、図１０に示すように、突出ピン３３の先端部３３ａに保持孔２１ｅを嵌入することによって、ＩＣタグ３を突出ピン３３に保持できるようになっている。
【００４８】
固定金型３１は、図１１に示すように、平皿本体２の周辺部２ａ、糸底部２ｂ及び底面部２ｃの形状を呈する内壁面３１Ａを形成してある。
【００４９】
可動金型３２は、図１１に示すように、平皿本体２の周辺部２ｄ、上面部２ｅの形状を呈する内壁面３２Ａを形成してある。
【００５０】
突出ピン３３は、図１１に示すように、固定金型３１内に穿設したピン摺動孔３４内にあって、ピン摺動孔３４内で摺動自在としてある。
尚、上記のように、突出ピン３３の先端部３３ａは小径としてあり、先端部３３ａにＩＣタグ保持ピン２１の保持孔２１ｅを嵌入できるようになっている。
【００５１】
先ず、図１１に示すように、固定金型３１、可動金型３２を開いておき、突出ピン３３の先端部３３ａをピン摺動孔３４から上方に突出させておく。
【００５２】
次に、図１２に示すように、突出ピン３３の先端部３３ａにＩＣタグ保持ピン２１の保持孔２１ｅを嵌入させ、ＩＣタグ３を固定金型３１の内壁面３１Ａより所定距離だけ離反させて位置させる。
【００５３】
次に、図１３に示すように、可動金型３２を閉じて、固定金型３１の内壁面３１Ａと可動金型３２の内壁面３２Ａとによってキャビティ３５を画成する。
この時、ＩＣタグ３は、キャビティ３５内で内壁面３１Ａ、内壁面３２Ａとは離反して位置することになる。
【００５４】
そして、図１４に示すように、射出装置（図示しない）から溶融樹脂Ｐを射出させ、固定金型３１に形成したスプルー３６を流通させ、キャビティ３５内に溶融樹脂Ｐを流出させ、充填する。
この時、ＩＣタグ３は、キャビティ３５内で内壁面３１Ａ、内壁面３２Ａと離反して位置しているから、キャビティ３５内に流入した溶融樹脂Ｐは、ＩＣタグ３の上下両面を流動して、キャビティ３５内は完全に溶融樹脂Ｐで充填される。
又、突出ピン３３の先端部３３ａに保持したＩＣタグ保持ピン２１は、合成樹脂材料より成形してあるので、溶融樹脂Ｐによって加熱され、溶融することになる。
【００５５】
次に、固定金型３１、可動金型３２を所定時間冷却し、キャビティ３５内の溶融樹脂Ｐを完全に硬化させる。
この時、溶融したＩＣタグ保持ピン２１は、充填された溶融樹脂Ｐと一体となって、冷却、硬化した後には、固定金型３１の内壁面３１Ａから陥没する部分だけが突出することになる。
【００５６】
次に、図１５に示すように、可動金型３２を開けば、キャビティ３５内で硬化した成形品Ｍを取り出すことができる。
そして、成形品Ｍの底面部より突出した樹脂部分Ｍｐを研磨すれば、平皿本体２にＩＣタグ３を内蔵した平皿１を製造することができる。
【００５７】
本発明のＩＣタグ付き食器の製造方法によれば、食器本体は外壁部分と内壁部分とから構成されるのではなく、不可分一体に成形されるから、又、ＩＣタグ３は食器本体に内蔵され、かつ、完全に一体化されるから、製品の歩留まりは極めて良い。
【００５８】
又、外壁部分を成形する工程、内壁部分を成形する工程という２つの工程を必要としないから、製造工程数は削減され、製造コストも低減される。
【００５９】
さらに、ＩＣタグ保持ピン２１を合成樹脂材料によって成形したものとしたから、成形された食器に小孔等が形成されることはなく、良質の食器を製造することができる。
又、特には、ＩＣタグ保持ピン２１の合成樹脂材料は、溶融樹脂と同一のものとするのが好ましい。
【００６０】
尚、食器本体の成形材料としては、熱可塑性樹脂を使用することが好ましいが、熱硬化する時間等を考慮すれば、十分に熱硬化性樹脂を使用することもできる。
【００６１】
さらに、上記実施形態においては、食器を採り上げ、特に、円形状の平皿を例に挙げて説明したが、これに限らず、本発明は、合成樹脂によって成形できる各種容器に適用できること、勿論である。
【００６２】
又、上記実施形態においては、ＩＣタグとして、インレット４、繊維構成体シート５，６，７，８及び接着剤層９，１０，１１，１２から構成されるものを採用したが、繊維構成体シート５，６，７，８の代わりに、耐熱性が高い上、引張強度の高い、すなわち、容易に伸びない合成樹脂シートを使用することもできる。
このような合成樹脂シートとしては、ポリエチレンテレフタレート（ＰＥＴ）シート、特には、二軸延伸ＰＥＴシート（例えば、デュポン社のマイラー［登録商標］）、ポリイミドシート（例えば、デュポン社のカプトン［登録商標］）等を採用することができる。
【００６３】
この場合、インレットは、合成樹脂シートに直接接着されているのではなく、ゲル状の弾性体である接着剤層を介在しているので、ＩＣタグに外力が付勢されても、インレットには直接引張応力及び曲げ応力が付加されず、容易に破損してしまうことはない。
【符号の説明】
【００６４】
１  平皿
２  平皿本体
２ｃ  底面部
３  ＩＣタグ
３ａ  保持用切欠部
２１  ＩＣタグ保持ピン
２１ａ  矜持部
２１ｂ  嵌入部
２１ｃ  矜持部
２１ｄ  保持部
２１ｅ  保持孔
３１  固定金型
３１Ａ  内壁面
３２  可動金型
３２Ａ  内壁面
３３  突出ピン
３３ａ  先端部
３５  キャビティ
Ｐ  溶融樹脂
【図１】
2013215367.tif 000003
【図２】
2013215367.tif 000004
【図３】
2013215367.tif 000005
【図４】
2013215367.tif 000006
【図５】
2013215367.tif 000007
【図６】
2013215367.tif 000008
【図７】
2013215367.tif 000009
【図８】
2013215367.tif 000010
【図９】
2013215367.tif 000011
【図１０】
2013215367.tif 000012
【図１１】
2013215367.tif 000013
【図１２】
2013215367.tif 000014
【図１３】
2013215367.tif 000015
【図１４】
2013215367.tif 000016
【図１５】
2013215367.tif 000017